(57)【要約】【課題】被原水を被電解水とするための電解質水溶液を供給する電解質水溶液タンク内の電解質水溶液の液切れを検知できるようにする。【解決手段】電解水生成装置１０においては、制御装置６０は、電源装置４０により電極１２ａ，１２ｂ間に設定電圧を印加した状態で電流計４１の計測電流が設定電流となるように送出ポンプ３２による電解質水溶液の流量を制御して、原水供給管路２０から供給される原水に送出ポンプ３２により送り出される電解質水溶液とを混合した被電解水を電気分解した電解水を注出する電解注出運転を実行するように制御しており、送出ポンプ３２による電解質水溶液の流量を変える回転速度が電解注出運転の正常運転時の最大値より高く設定された液切れ検知速度以上となると電解質水溶液タンク３１内の電解質水溶液が液切れとなったことを検知した。【選択図】図１
2019093343.tif 000002
【特許請求の範囲】
【請求項１】
一対の電極を配設した電解槽と、
給水源から供給される原水を前記電解槽に供給する原水供給管路と、
電解質水溶液タンクから電解質水溶液供給管路を通して電解質水溶液を前記電解槽に流量可変に送り出す送出ポンプと、
前記一対の電極間に直流電圧を印加する電源装置と、
前記一対の電極間に流れる電流を計測する電流計と、
前記電源装置により前記一対の電極間に直流電圧を印加したときの前記電流計の計測電流に基づいて前記送出ポンプによる流量を制御する制御装置とを備え、
前記制御装置は、前記電源装置により前記電極間に設定電圧を印加した状態で前記電流計の計測電流が設定電流となるように前記送出ポンプによる電解質水溶液の流量を制御して、前記原水供給管路から供給される原水に前記送出ポンプにより送り出される電解質水溶液とを混合した被電解水を電気分解した電解水を注出する電解注出運転を実行する電解水生成装置であって、
前記制御装置は、前記送出ポンプによる電解質水溶液の流量を変える回転速度が電解注出運転の正常運転時の最大値より高く設定された液切れ検知速度以上となると前記電解質水溶液タンク内の電解質水溶液が液切れとなったことを検知したことを特徴とする電解水生成装置。
【請求項２】
一対の電極を配設した電解槽と、
給水源から供給される原水を前記電解槽に供給する原水供給管路と、
電解質水溶液タンクから電解質水溶液供給管路を通して電解質水溶液を前記電解槽に流量可変に送り出す送出ポンプと、
前記一対の電極間に直流電圧を印加する電源装置と、
前記一対の電極間に流れる電流を計測する電流計と、
前記電源装置により前記一対の電極間に直流電圧を印加したときの前記電流計の計測電流に基づいて前記送出ポンプによる流量を制御する制御装置とを備え、
前記制御装置は、前記電源装置により前記電極間に設定電圧を印加した状態で前記電流計の計測電流が設定電流となるように前記送出ポンプによる電解質水溶液の流量を制御して、前記原水供給管路から供給される原水に前記送出ポンプにより送り出される電解質水溶液とを混合した被電解水を電気分解した電解水を注出する電解注出運転を実行する電解水生成装置であって、
前記制御装置は、前記電源装置により前記電極間に設定電圧を印加した状態で前記電流計の計測電流が前記設定電流よりも所定値低く設定した液切れ検知電流以下となると前記電解質水溶液タンク内の電解質水溶液が液切れとなったことを検知したことを特徴とする電解水生成装置。
【請求項３】
一対の電極を配設した電解槽と、
給水源から供給される原水を前記電解槽に供給する原水供給管路と、
電解質水溶液タンクから電解質水溶液供給管路を通して電解質水溶液を前記電解槽に流量可変に送り出す送出ポンプと、
前記一対の電極間に直流電圧を印加する電源装置と、
前記一対の電極間に流れる電流を計測する電流計と、
前記電源装置により前記一対の電極間に直流電圧を印加したときの前記電流計の計測電流に基づいて前記送出ポンプによる流量を制御する制御装置とを備え、
前記制御装置は、前記電源装置により前記電極間に設定電圧を印加した状態で前記電流計の計測電流が設定電流となるように前記送出ポンプによる電解質水溶液の流量を制御して、前記原水供給管路から供給される原水に前記送出ポンプにより送り出される電解質水溶液とを混合した被電解水を電気分解した電解水を注出する電解注出運転を実行する電解水生成装置であって、
前記送出ポンプによる電解質水溶液の流量を変える回転速度が電解注出運転の正常運転時の最大値より高く設定された液切れ検知速度以上となると前記電解質水溶液タンク内の電解質水溶液が液切れとなったことを検知する第１の検知手段と、
前記電源装置により前記電極間に設定電圧を印加した状態で前記電流計の計測電流が前記設定電流よりも所定値低く設定した液切れ検知電流以下となると前記電解質水溶液タンク内の電解質水溶液が液切れとなったことを検知する第２の検知手段とを備え、
前記電解水生成装置の電源投入後の１回目の電解注出運転または前記第１または第２の検知手段により電解質水溶液の液切れを検知後の１回目の電解注出運転を実行するときには、前記第１の検知手段により液切れを検知するようにし、
前記電解水生成装置の電源投入後の２回目以後の電解注出運転または前記第１または第２の検知手段により電解質水溶液の液切れを検知後の２回目以後の電解注出運転を実行するときには、前記第２の検知手段により液切れを検知するようにしたことを特徴とする電解水生成装置。
【請求項４】
一対の電極を配設した電解槽と、
給水源から供給される原水を前記電解槽に供給する原水供給管路と、
電解質水溶液タンクから電解質水溶液供給管路を通して電解質水溶液を前記電解槽に流量可変に送り出す送出ポンプと、
前記一対の電極間に直流電圧を印加する電源装置と、
前記一対の電極間に流れる電流を計測する電流計と、
前記電源装置により前記一対の電極間に直流電圧を印加したときの前記電流計の計測電流に基づいて前記送出ポンプによる流量を制御する制御装置とを備え、
前記制御装置は、前記電源装置により前記電極間に設定電圧を印加した状態で前記電流計の計測電流が設定電流となるように前記送出ポンプによる電解質水溶液の流量を制御して、前記原水供給管路から供給される原水に前記送出ポンプにより送り出される電解質水溶液とを混合した被電解水を電気分解した電解水を注出する電解注出運転を実行する電解水生成装置であって、
前記送出ポンプによる電解質水溶液の流量を変える回転速度が電解注出運転の正常運転時の最大値より高く設定された液切れ検知速度以上となると前記電解質水溶液タンク内の電解質水溶液が液切れとなったことを検知する第１の検知手段と、
前記電源装置により前記電極間に設定電圧を印加した状態で前記電流計の計測電流が前記設定電流よりも所定値低く設定した液切れ検知電流以下となると前記電解質水溶液タンク内の電解質水溶液が液切れとなったことを検知する第２の検知手段とを備え、
前記電解水生成装置の電源投入後の１回目の電解注出運転または前記第１または第２の検知手段により電解質水溶液の液切れを検知後の１回目の電解注出運転を実行してから、前記電流計にて前記設定電流より所定値低く設定されている切換電流を計測するまでは前記第１の検知手段により液切れを検知するようにし、
前記電解水生成装置の電源投入後の１回目の電解注出運転または前記第１または第２の検知手段により電解質水溶液の液切れを検知後の１回目の電解注出運転を実行してから、前記電流計にて前記切換電流以上を計測した後と、前記前記電解水生成装置の電源投入後の２回目以後の電解注出運転または前記第１または第２の検知手段により電解質水溶液の液切れを検知後の２回目以後の電解注出運転を実行するときには、前記第２の検知手段により液切れを検知するようにしたことを特徴とする電解水生成装置。
【発明の詳細な説明】
【技術分野】
【０００１】
本発明は、電解水を生成する電解水生成装置に関する。
【背景技術】
【０００２】
特許文献１には、微酸性電解水を生成する電解水生成装置の発明が開示されている。この電解水生成装置は、一対の電極を配設した電解槽と、水道等の給水源から供給される原水を電解槽に供給する原水供給管路と、電解槽に供給される原水に塩化ナトリウム水溶液貯蔵タンクから塩化ナトリウム水溶液を供給する塩化ナトリウム水溶液添加ポンプと、原水に塩酸水溶液貯蔵タンクから塩酸水溶液を供給する塩酸水溶液ポンプと、一対の電極に直流電圧を印加する電源装置とを備えている。この電解水生成装置では、原水供給管路から供給される原水に塩化ナトリウム水溶液添加ポンプと塩酸水溶液ポンプとから供給される塩化ナトリウム水溶液と塩酸水溶液を混合した被電解水が電解槽に供給され、被電解水は電源装置から一対の電極に印加された直流電圧によって電気分解されて微酸性電解水となる。
【先行技術文献】
【特許文献】
【０００３】
【特許文献１】特開平５−２３７４７８号公報
【発明の概要】
【発明が解決しようとする課題】
【０００４】
上述した特許文献１の電解水生成装置では、原水供給管路から供給される原水に、塩化ナトリウム水溶液貯蔵タンクから塩化ナトリウム水溶液と、塩酸水溶液貯蔵タンクから塩酸水溶液とを供給して被電解水としているが、塩化ナトリウム水溶液貯蔵タンク内の塩化ナトリウム水溶液及び塩酸水溶液貯蔵タンク内の塩酸水溶液が液切れとなっても検知して知らせる手段がなかった。本発明は、原水を被電解水とするための電解質水溶液を供給する電解質水溶液タンク内の電解質水溶液の液切れを検知できるようにすることを目的とする。
【課題を解決するための手段】
【０００５】
上記課題を解決するために、本発明は、一対の電極を配設した電解槽と、給水源から供給される原水を電解槽に供給する原水供給管路と、電解質水溶液タンクから電解質水溶液供給管路を通して電解質水溶液を電解槽に流量可変に送り出す送出ポンプと、一対の電極間に直流電圧を印加する電源装置と、一対の電極間に流れる電流を計測する電流計と、電源装置により一対の電極間に直流電圧を印加したときの電流計の計測電流に基づいて送出ポンプによる流量を制御する制御装置とを備え、制御装置は、電源装置により電極間に設定電圧を印加した状態で電流計の計測電流が設定電流となるように送出ポンプによる電解質水溶液の流量を制御して、原水供給管路から供給される原水に送出ポンプにより送り出される電解質水溶液とを混合した被電解水を電気分解した電解水を注出する電解注出運転を実行する電解水生成装置であって、制御装置は、送出ポンプによる電解質水溶液の流量を変える回転速度が電解注出運転の正常運転時の最大値より高く設定された液切れ検知速度以上となると電解質水溶液タンク内の電解質水溶液が液切れとなったことを検知したことを特徴とする電解水生成装置を提供するものである。
【０００６】
上記のように構成した電解水生成装置においては、電源装置により電極間に設定電圧を印加した状態で電流計の計測電流が設定電流となるように送出ポンプによる電解質水溶液の流量を制御しているときに、電解質水溶液タンク内の電解質水溶液が液切れとなると、電流計の計測電流が設定電流となるように被電解水の電解質水溶液の含有量を多くしようとして、送出ポンプの回転速度を上昇させて流量を増加させようとするが、電解質水溶液タンク内の電解質水溶液の液切れのために送出ポンプの回転速度が継続的に上昇する。この電解水生成装置においては、送出ポンプによる電解質水溶液の流量を変える回転速度が電解注出運転の正常運転時の最大値より高く設定された液切れ検知速度以上となると電解質水溶液タンク内の電解質水溶液が液切れとなったことを検知したため、電解質水溶液タンク内の電解質水溶液が液切れを簡単に検知できるようになった。
【０００７】
また、本発明の他の実施形態として、一対の電極を配設した電解槽と、給水源から供給される原水を電解槽に供給する原水供給管路と、電解質水溶液タンクから電解質水溶液供給管路を通して電解質水溶液を電解槽に流量可変に送り出す送出ポンプと、一対の電極間に直流電圧を印加する電源装置と、一対の電極間に流れる電流を計測する電流計と、電源装置により一対の電極間に直流電圧を印加したときの電流計の計測電流に基づいて送出ポンプによる流量を制御する制御装置とを備え、制御装置は、電源装置により電極間に設定電圧を印加した状態で電流計の計測電流が設定電流となるように送出ポンプによる電解質水溶液の流量を制御して、原水供給管路から供給される原水に送出ポンプにより送り出される電解質水溶液とを混合した被電解水を電気分解した電解水を注出する電解注出運転を実行する電解水生成装置であって、制御装置は、電源装置により電極間に設定電圧を印加した状態で電流計の計測電流が設定電流よりも所定値低く設定した液切れ検知電流以下となると電解質水溶液タンク内の電解質水溶液が液切れとなったことを検知したことを特徴とする電解水生成装置を提供するものである。
【０００８】
上記のように構成した電解水生成装置においては、電源装置により電極間に設定電圧を印加した状態で電流計の計測電流が設定電流となるように送出ポンプによる電解質水溶液の流量を制御しているときに、電解質水溶液タンク内の電解質水溶液が液切れとなると、送出ポンプによる電解質水溶液の流量を増加させて電解質水溶液の含有量を多くしようとしても、電流計の計測電流が低下する。この電解水生成装置においては、電源装置により電極間に設定電圧を印加した状態で電流計の計測電流が設定電流よりも所定値低く設定した液切れ検知電流以下となると電解質水溶液タンク内の電解質水溶液が液切れとなったことを検知したので、電解質水溶液タンク内の電解質水溶液が液切れを簡単に検知できるようになった。
【０００９】
また、本発明の他の実施形態として、一対の電極を配設した電解槽と、給水源から供給される原水を電解槽に供給する原水供給管路と、電解質水溶液タンクから電解質水溶液供給管路を通して電解質水溶液を電解槽に流量可変に送り出す送出ポンプと、一対の電極間に直流電圧を印加する電源装置と、一対の電極間に流れる電流を計測する電流計と、電源装置により一対の電極間に直流電圧を印加したときの電流計の計測電流に基づいて送出ポンプによる流量を制御する制御装置とを備え、制御装置は、電源装置により電極間に設定電圧を印加した状態で電流計の計測電流が設定電流となるように送出ポンプによる電解質水溶液の流量を制御して、原水供給管路から供給される原水に送出ポンプにより送り出される電解質水溶液とを混合した被電解水を電気分解した電解水を注出する電解注出運転を実行する電解水生成装置であって、送出ポンプによる電解質水溶液の流量を変える回転速度が電解注出運転の正常運転時の最大値より高く設定された液切れ検知速度以上となると電解質水溶液タンク内の電解質水溶液が液切れとなったことを検知する第１の検知手段と、電源装置により電極間に設定電圧を印加した状態で電流計の計測電流が設定電流よりも所定値低く設定した液切れ検知電流以下となると電解質水溶液タンク内の電解質水溶液が液切れとなったことを検知する第２の検知手段とを備え、電解水生成装置の電源投入後の１回目の電解注出運転または第１または第２の検知手段により電解質水溶液の液切れを検知後の１回目の電解注出運転を実行するときには、第１の検知手段により液切れを検知するようにし、電解水生成装置の電源投入後の２回目以後の電解注出運転または第１または第２の検知手段により電解質水溶液の液切れを検知後の２回目以後の電解注出運転を実行するときには、第２の検知手段により液切れを検知するようにしたことを特徴とする電解水生成装置を提供するものである。
【００１０】
上記のように構成した電解水生成装置においては、電源装置により電極間に設定電圧を印加した状態で電流計の計測電流が設定電流となるように送出ポンプによる電解質水溶液の流量を制御しているときに、電解質水溶液タンク内の電解質水溶液が液切れとなると、電流計の計測電流が設定電流となるように送出ポンプによる電解質水溶液の流量を増加させて被電解水の電解質水溶液の含有量を多くしようとしても、電流計の計測電流が低下するとともに送出ポンプの回転速度が上昇する。上記のように構成した電解水生成装置においては、送出ポンプによる電解質水溶液の流量を変える回転速度が電解注出運転の正常運転時の最大値より高く設定された液切れ検知値以上となると電解質水溶液タンク内の電解質水溶液が液切れとなったことを検知する第１の検知手段と、電源装置により電極間に設定電圧を印加した状態で電流計の計測電流が設定電流よりも所定値低く設定した液切れ検知電流以下となると電解質水溶液タンク内の電解質水溶液が液切れとなったことを検知する第２の検知手段とを備えている。第１及び第２の検知手段はともに電解質水溶液タンク内の電解質水溶液の液切れを検知でき、第２の検知手段は第１の検知手段よりも素早く液切れを検知できるものの、第２の検知手段は電解質水溶液タンクを交換後のように電解質水溶液供給管路に電解質水溶液を新たに通すために、電解質水溶液が電解槽に送られるまでに時間を要するときには液切れの誤検知を招くおそれがある。このため、電解質水溶液供給管路に電解質水溶液が通ってないような電解水生成装置の電源投入後の１回目の電解注出運転または第１または第２の検知手段により電解質水溶液の液切れを検知後の１回目の電解注出運転を実行するときには、第２の検知手段よりも時間を要するものの第１の検知手段により確実に液切れを検知するようにし、電解質水溶液供給管路に電解質水溶液が通った後のような電解水生成装置の電源投入後の２回目以後の電解注出運転または第１または第２の検知手段により電解質水溶液の液切れを検知後の２回目以後の電解注出運転を実行するときには、第２の検知手段により素早く液切れを検知するようにして、液切れの精度の高さと素早さを両立することができた。
【００１１】
また、本発明の他の実施形態として、一対の電極を配設した電解槽と、給水源から供給される原水を電解槽に供給する原水供給管路と、電解質水溶液タンクから電解質水溶液供給管路を通して電解質水溶液を電解槽に流量可変に送り出す送出ポンプと、一対の電極間に直流電圧を印加する電源装置と、一対の電極間に流れる電流を計測する電流計と、電源装置により一対の電極間に直流電圧を印加したときの電流計の計測電流に基づいて送出ポンプによる流量を制御する制御装置とを備え、制御装置は、電源装置により電極間に設定電圧を印加した状態で電流計の計測電流が設定電流となるように送出ポンプによる電解質水溶液の流量を制御して、原水供給管路から供給される原水に送出ポンプにより送り出される電解質水溶液とを混合した被電解水を電気分解した電解水を注出する電解注出運転を実行する電解水生成装置であって、送出ポンプによる電解質水溶液の流量を変える回転速度が電解注出運転の正常運転時の最大値より高く設定された液切れ検知速度以上となると電解質水溶液タンク内の電解質水溶液が液切れとなったことを検知する第１の検知手段と、電源装置により電極間に設定電圧を印加した状態で電流計の計測電流が設定電流よりも所定値低く設定した液切れ検知電流以下となると電解質水溶液タンク内の電解質水溶液が液切れとなったことを検知する第２の検知手段とを備え、電解水生成装置の電源投入後の１回目の電解注出運転または第１または第２の検知手段により電解質水溶液の液切れを検知後の１回目の電解注出運転を実行してから、電流計にて設定電流より所定値低く設定されている切換電流を計測するまでは第１の検知手段により液切れを検知するようにし、電解水生成装置の電源投入後の１回目の電解注出運転または第１または第２の検知手段により電解質水溶液の液切れを検知後の１回目の電解注出運転を実行してから、電流計にて切換電流以上を計測した後と、電解水生成装置の電源投入後の２回目以後の電解注出運転または第１または第２の検知手段により電解質水溶液の液切れを検知後の２回目以後の電解注出運転を実行するときには、第２の検知手段により液切れを検知するようにしたことを特徴とする電解水生成装置を提供するものである。
【００１２】
上記のように構成した電解水生成装置においては、電源装置により電極間に設定電圧を印加した状態で電流計の計測電流が設定電流となるように送出ポンプによる電解質水溶液の流量を制御しているときに、電解質水溶液タンク内の電解質水溶液が液切れとなると、電流計の計測電流が設定電流となるように送出ポンプによる電解質水溶液の流量を増加させて被電解水の電解質水溶液の含有量を多くしようとしても、電流計の計測電流が低下するとともに送出ポンプの回転速度が上昇する。上記のように構成した電解水生成装置においては、送出ポンプによる電解質水溶液の流量を変える回転速度が電解注出運転の正常運転時の最大値より高く設定された液切れ検知速度以上となると電解質水溶液タンク内の電解質水溶液が液切れとなったことを検知する第１の検知手段と、電源装置により電極間に設定電圧を印加した状態で電流計の計測電流が設定電流よりも所定値低く設定した液切れ検知電流以下となると電解質水溶液タンク内の電解質水溶液が液切れとなったことを検知する第２の検知手段とを備えている。第１及び第２の検知手段はともに電解質水溶液タンク内の電解質水溶液の液切れを検知でき、第２の検知手段は第１の検知手段よりも素早く液切れを検知できるものの、第２の検知手段は電解質水溶液タンクを交換等をしたときのように電解質水溶液供給管路に電解質水溶液を新たに通すために、電解質水溶液が電解槽に送られるまでに時間を要するときには液切れの誤検知を招くおそれがある。また、上記の実施形態のように、電解質水溶液供給管路に電解質水溶液が通ってないような電解水生成装置の電源投入後の１回目の電解注出運転または第１または第２の検知手段により電解質水溶液の液切れを検知後の１回目の電解注出運転を実行して微酸性電解水を長時間生成するときに第１の検知手段により電解質水溶液の液切れを検知しようとすると、電解質水溶液タンク内の電解質水溶液が電解槽に送られるようになった後で素早く液切れを検知できないおそれがある。このため、電解質水溶液供給管路に電解質水溶液が通ってないような電解水生成装置の電源投入後の１回目の電解注出運転または第１または第２の検知手段により電解質水溶液の液切れを検知後の１回目の電解注出運転を実行してから、電流計にて設定電流より所定値低く設定されている切換電流を計測するまでは第２の検知手段よりも時間を要するものの第１の検知手段により確実に液切れを検知するようにし、電解水生成装置の電源投入後の１回目の電解注出運転または第１または第２の検知手段により電解質水溶液の液切れを検知後の１回目の電解注出運転を実行してから、電流計にて切換電流以上を計測した後と、電解水生成装置の電源投入後の２回目以後の電解注出運転または第１または第２の検知手段により電解質水溶液の液切れを検知後の２回目以後の電解注出運転を実行するときには、第２の検知手段により素早く液切れを検知するようにして、液切れの精度の高さと素早さを両立することができた。
【図面の簡単な説明】
【００１３】
【図１】電解水生成装置の概略図である。
【図２】制御装置のブロック図である。
【図３】電解質水溶液の塩酸濃度と、原水のＭアルカリ度と、原水の水温により設定した電流と電圧を示す表である。
【発明を実施するための最良の形態】
【００１４】
以下に、本発明の電解水生成装置の一実施形態を添付図面を参照して説明する。本発明の電解水生成装置１０は、被電解水を無隔膜の電解槽１１内で電気分解することによって微酸性電解水を生成するものであり、特にｐＨ５．０〜６．５、有効塩素濃度１０〜８０ｐｐｍの微酸性電解水を生成するものである。電解水生成装置１０は、電解槽１１と、電解槽１１に原水を供給する原水供給管路２０と、原水に塩酸を含む電解質水溶液を供給する電解質水溶液供給管路３０と、電解槽１１の電極１２ａ，１２ｂに直流電圧を印加する電源装置４０とを備えている。
【００１５】
電解槽１１は被電解水を電気分解するものである。電解槽１１は一室型の無隔膜電解槽であり、電解槽１１には一対の電極１２ａ，１２ｂが配設されている。電解槽１１には水道等の給水源から原水を供給する原水供給管路２０と、電解槽１１で生成された微酸性電解水を注出する注出管路１３とが接続されている。
【００１６】
原水供給管路２０には減圧弁２１と通水弁２２が介装されている。給水源から送られる原水は減圧弁２１によって圧力が下げられ、通水弁２２の開放によって電解槽１１に供給される。また、原水供給管路２０には温度センサ２３と流量計２４が介装されており、温度センサ２３は原水供給管路２０を通過する原水の温度を検出し、流量計２４は原水供給管路２０を通過する原水の流量を検出する。なお、この原水供給管路２０にはアルカリ度測定器を設け、アルカリ度測定器により原水のＭアルカリ度を計測するようにしてもよい。
【００１７】
原水供給管路２０には電解質水溶液供給管路３０が接続されている。電解質水溶液供給管路３０は電解質水溶液タンク３１から電解質水溶液を原水供給管路２０を介して電解槽１１に供給するものである。電解質水溶液タンク３１内に貯えた電解質水溶液は少なくとも塩酸を含むものであり、この実施形態では飽和塩化ナトリウム水溶液に塩酸を所定濃度となるように調製したものである。電解質水溶液供給管路３０には送出ポンプ（送出手段）３２が介装されており、電解質水溶液タンク３１内の電解質水溶液は送出ポンプ３２の作動によって電解質水溶液供給管路３０を通って原水供給管路２０に送られる。送出ポンプ３２は流量可変型のポンプであり、パルス信号によるポンプのストローク数によって回転速度を変えることで流量が調節されるようになっている。電解質水溶液タンク３１内の電解質水溶液は原水のＭアルカリ度によって異なる塩酸濃度の電解質水溶液が用いられる。具体的には、原水のＭアルカリ度が２０〜４０ｐｐｍのときには塩酸濃度が０．８ｗｔ％の電解質水溶液を用い、原水のＭアルカリ度が４０〜６０ｐｐｍのときには塩酸濃度が１．０ｗｔ％の電解質水溶液を用い、原水のＭアルカリ度が６０〜８０ｐｐｍのときには塩酸濃度が１．２ｗｔ％の電解質水溶液を用いるようにしている。
【００１８】
電源装置４０は電解槽１１内の電極１２ａ，１２ｂに直流電圧を印加して、電解槽１１内の被電解水を電気分解するものである。電源装置４０と電極１２ａとの間には電流計４１が接続されており、電流計４１は電源装置４０から電極１２ａを接続する配線を流れる電流を計測することで、電解槽１１を流れる電解電流を計測するものである。電極１２ａ，１２ｂの間には電圧計４２が接続されており、電圧計４２は電極１２ａ，１２ｂに印加される電圧を計測することで、電解槽１１の電解電圧を計測するものである。
【００１９】
電解水生成装置１０は操作パネル５０を備えており、操作パネル５０には表示パネルと操作ボタン（何れも図示省略）が設けられている。表示パネルには温度センサ２３により検出した原水の水温、電流計４１により計測した電流及び電圧計４２により計測した電圧、電解質水溶液タンク３１内の電解質水溶液の液切れ状態等を表示可能としている。また、各種操作ボタンは微酸性電解水の注出操作（注出ボタン）、表示パネルによる表示の切り替え、原水のＭアルカリ度及び電解質水溶液の塩酸濃度の入力等をするものである。
【００２０】
図２に示したように、電解水生成装置１０は制御装置６０を備えており、制御装置６０は、通水弁２２、温度センサ２３、流量計２４、送出ポンプ３２、電源装置４０、電流計４１、電圧計４２及び操作パネル５０に接続されている。制御装置６０はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。
【００２１】
制御装置６０は、ＲＯＭに電気分解により微酸性電解水を生成して注出する電解注出運転を実行する電解制御プログラムを備えており、図３に示したように、電解制御プログラムは被電解水を電気分解するときの設定電流と設定電圧が微酸性電解水の要求特性を満たすように原水のＭアルカリ度（アルカリ度）と電解質水溶液の塩酸濃度とに応じて設定されている。電解制御プログラムの設定電流と設定電圧は、原水のアルカリ度と電解質水溶液の塩酸濃度だけでなく、原水の温度にも応じて設定されている。制御装置６０は、電解制御プログラムの電解注出運転を実行すると、電解槽内１１には原水供給管路２０から供給される原水に送出ポンプ３２により送り出される電解質水溶液とを混合した被電解水が供給され、電源装置４０により電解槽１１内の電極１２ａ，１２ｂ間に設定電圧を印加した状態で電流計４１の計測電流が設定電流となるように送出ポンプ３２による電解質水溶液の流量が制御され、被電解水は電気分解されて微酸性電解水となって注出管路１３から注出される。
【００２２】
また、制御装置６０は、電解注出運転を実行したときに電解質水溶液タンク３１内の電解質水溶液の液切れを検知する第１の液切れ検知プログラム（第１の検知手段）を有しており、第１の液切れ検知プログラムは、送出ポンプ３２による電解質水溶液の流量を変える回転速度が電解注出運転の正常運転時の最大値より高く設定された液切れ検知速度以上となると電解質水溶液タンク３１内の電解質水溶液が液切れとなったことを検知するものである。
【００２３】
この電解水生成装置１０における微酸性電解水の注出をするための電解制御プログラムの電解注出運転について説明する。電解水生成装置１０を設置したときには、制御装置６０の電解制御プログラムに設置場所で測定した原水のＭアルカリ度と、原水のＭアルカリ度に対応した電解質水溶液の塩酸濃度を各種操作ボタンの操作によって入力しておく。操作パネル５０の注出用の操作ボタンを押動動作すると通水弁２２が開放され、給水源の原水が原水供給管路２０を通って電解槽１１に供給される。また、上述したように、微酸性電解水の要求特性を満たすために、予め入力した原水のＭアルカリ度と電解質水溶液の塩酸濃度と、温度センサ２３による検出水温に基づいた設定電流と設定電圧となるように、制御装置６０は電圧計４２により計測される電圧が設定電圧となるように電源装置４０による電極１２ａ，１２ｂ間の電圧の印加を制御するとともに、電流計４１により計測される電流が設定電流となるように送出ポンプ３２の回転速度を変えて電解質水溶液の流量を制御している。
【００２４】
電解槽１１内に供給される被電解水は電源装置４０から電極１２ａ，１２ｂの間を流れる直流電流により電気分解され、アノード側で塩素イオンが次亜塩素酸となり、カソード側ではナトリウムイオンと水の反応で水酸化ナトリウムと水素ガスが発生する。また、カソード側で発生した水酸化ナトリウムは被電解水に含まれる塩酸によって中和され、生成された電解水は全体としてｐＨが５．０〜６．５となる。このように、電解水生成装置１０で生成される電解水は、ｐＨが５．０〜６．５で有効塩素濃度が１０〜８０ｐｐｍの要求特性を満たした微酸性電解水となっている。
【００２５】
電解注出運転を実行して微酸性電解水を注出すると、電解質水溶液タンク３１内の電解質水溶液が少しずつ減少する。制御装置６０が電解注出運転の実行により、電源装置４０により電極１２ａ，１２ｂ間に設定電圧を印加した状態で電流計４１の計測電流が設定電流となるように送出ポンプ３２による電解質水溶液の流量を制御しているときに、電解質水溶液タンク３１内の電解質水溶液が液切れとなると、被電解水に含まれる電解質水溶液の含有量を多くしようとして、送出ポンプ３２の回転速度を上昇させて流量を増加させようとするが、電解質水溶液タンク３１内の電解質水溶液の液切れのために送出ポンプ３２の回転速度が継続的に上昇する。制御装置６０は、第１の液切れ検知プログラムにより、送出ポンプ３２による電解質水溶液の流量を変える回転速度が電解注出運転の正常運転時の最大値より高く設定された液切れ検知速度以上となると電解質水溶液タンク３１内の電解質水溶液が液切れとなったことを検知し、操作パネル５０の表示パネルに液切れ状態であることを表示（報知）する。このように、電解質水溶液タンク３１内の電解質水溶液が液切れとなったことを簡単に検知できるようになり、電解質水溶液が供給されずに被電解水が適切に電気分解されずに要求特性を満たさない電解水が生成されるのを抑制することができた。なお、電解質水溶液タンク３１内の電解質水溶液が液切れとなったときには、電解注出運転を実行しないように制御してもよい。
【００２６】
また、電解水生成装置１０の制御装置６０は第２の液切れ検知プログラム（第２の検知手段）を備えており、第２の液切れ検知プログラムは、電源装置４０により電極１２ａ，１２ｂ間に設定電圧を印加した状態で電流計４１の計測電流が設定電流よりも所定値低く設定した液切れ検知電流以下となると電解質水溶液タンク３１内の電解質水溶液が液切れとなったことを検知するものである。
【００２７】
上述したように、電解注出運転を実行して微酸性電解水を注出すると、電解質水溶液タンク３１内の電解質水溶液が少しずつ減少する。制御装置６０が電源装置４０により電極１２ａ，１２ｂ間に設定電圧を印加した状態で電流計４１の計測電流が設定電流となるように送出ポンプ３２による電解質水溶液の流量を制御しているときに、電解質水溶液タンク３１内の電解質水溶液が液切れとなると、送出ポンプ３２による電解質水溶液の流量を増加させて電解質水溶液の含有量を多くしようとしても、電流計４１の計測電流が低下する。制御装置６０は、第２の液切れ検知プログラムにより、電源装置４０により電極１２ａ，１２ｂ間に設定電圧を印加した状態で電流計４１の計測電流が設定電流（この実施形態では２０Ａ）よりも所定値（この実施形態では例えば５Ａ）低く設定した液切れ検知電流（この実施形態では１５Ａ）以下となると電解質水溶液タンク３１内の電解質水溶液が液切れとなったことを検知し、操作パネル５０の表示パネルに液切れ状態であることを表示（報知）する。このように、電解質水溶液タンク３１内の電解質水溶液が液切れとなったことを簡単に検知できるようになり、電解質水溶液が供給されずに被電解水が適切に電気分解されずに要求特性を満たさない電解水が生成されるのを抑制することができた。また、第２の液切れ検知プログラムは、電流計４１の計測電流が設定電流よりも所定値低く設定した液切れ検知電流以下となると電解質水溶液タンク３１内の電解質水溶液が液切れとなったことを検知しているので、第１の液切れ検知プログラムのように送出ポンプ３２の回転速度が液切れ検知速度以上となったときに電解質水溶液が液切れとなったことを検知するよりも早く検知できるようになり、特に、短時間の電解注出運転をするときに要求特性を満たさない電解水が生成されるのを抑制することができた。
【００２８】
第２の液切れ検知プログラムは、第１の液切れ検知プログラムより早く液切れを検知できるものの、電解水生成装置１０の電源を投入後や電解質水溶液タンク３１を交換等をして電解質水溶液供給管路３０に電解質水溶液を新たに通すために、電解質水溶液が電解槽１１に送られるまでに時間を要するときに液切れの誤検知を招くおそれがある。これに対応するため、制御装置６０は、第３の液切れ検知プログラムを備えており、第３の液切れ検知プログラムは、電解水生成装置１０の電源投入後の１回目の電解注出運転または第１または第２の液切れ検知プログラムにより電解質水溶液の液切れを検知後の１回目の電解注出運転を実行するときには、第１の液切れ検知プログラムにより電解質水溶液の液切れを検知するようにし、電解水生成装置１０の電源投入後の２回目以後の電解注出運転または第１または第２の液切れ検知プログラムにより電解質水溶液の液切れを検知後の２回目以後の電解注出運転を実行するときには、第２の液切れ検知プログラムにより液切れを検知するように制御している。
【００２９】
これにより、電解質水溶液供給管路３０に電解質水溶液が通ってないような電解水生成装置１０の電源投入後の１回目の電解注出運転または第１または第２の液切れ検知プログラムにより電解質水溶液の液切れを検知後の１回目の電解注出運転を実行するときには、第２の液切れ検知プログラムよりも時間を要するものの第１の液切れ検知プログラムにより確実に液切れを検知するようにし、電解質水溶液供給管路３０に電解質水溶液が通った後のような電解水生成装置１０の電源投入後の２回目以後の電解注出運転または第１または第２の液切れ検知プログラムにより電解質水溶液の液切れを検知後の２回目以後の電解注出運転を実行するときには、第２の液切れ検知プログラムにより素早く液切れを検知するようにして、液切れの精度の高さと素早さを両立することができた。
【００３０】
また、第３の液切れ検知プログラムは、電解質水溶液供給管路３０に電解質水溶液が通ってないような電解水生成装置１０の電源投入後の１回目の電解注出運転または第１または第２の液切れ検知プログラムにより電解質水溶液の液切れを検知後の１回目の電解注出運転を実行して微酸性電解水を長時間生成するときに第１の液切れ検知プログラムにより電解質水溶液の液切れを検知しようとすると、電解質水溶液タンク３１内の電解質水溶液が電解槽１１に送られるようになった後で素早く液切れを検知できないおそれがある。これに対応するため、制御装置６０は、第４の液切れ検知プログラムを備えており、第４の液切れ検知プログラムは、電解水生成装置１０の電源投入後の１回目の電解注出運転または第１または第２の液切れ検知プログラムにより電解質水溶液の液切れを検知後の１回目の電解注出運転を実行してから電流計４１にて設定電流より所定値低く設定されている切換電流を計測するまでは第１の液切れ検知プログラムにより液切れを検知するようにし、電解水生成装置１０の電源投入後の１回目の電解注出運転または第１または第２の液切れ検知プログラムにより電解質水溶液の液切れを検知後の１回目の電解注出運転を実行してから電流計４１にて切換電流以上を計測した後と、電解水生成装置１０の電源投入後の２回目以後の電解注出運転または第１または第２の液切れ検知プログラムにより電解質水溶液の液切れを検知後の２回目以後の電解注出運転を実行するときには、第２の液切れ検知プログラムにより液切れを検知するようにした。
【００３１】
これにより、電解質水溶液供給管路３０に電解質水溶液が通ってないような電解水生成装置１０の電源投入後の１回目の電解注出運転または第１または第２の液切れ検知プログラムにより電解質水溶液の液切れを検知後の１回目の電解注出運転を実行してから電流計４１にて設定電流（この実施形態では２０Ａ）より所定値（この実施形態では例えば２Ａ）低く設定されている切換電流（この実施形態では所定値である２Ａ低い１８Ａ）を計測するまでは第２の液切れ検知プログラムよりも時間を要するものの第１の液切れ検知プログラムにより確実に液切れを検知するようにし、電解水生成装置１０の電源投入後の１回目の電解注出運転または第１または第２の液切れ検知プログラムにより電解質水溶液の液切れを検知後の１回目の電解注出運転を実行してから電流計４１にて切換電流以上を計測した後と、電解水生成装置１０の電源投入後の２回目以後の電解注出運転または第１または第２の液切れ検知プログラムにより電解質水溶液の液切れを検知後の２回目以後の電解注出運転を実行するときには、第２の液切れ検知プログラムにより素早く液切れを検知するようにして、液切れの精度の高さと素早さを両立することができた。
【００３２】
上記の実施形態の電解水生成装置１０においては、微酸性電解水を生成する電解注出運転を実行していないときに、操作パネル５０の操作ボタンを構成する注出ボタンを押動操作すると、電解注出運転の実行によって微酸性電解水が生成され、微酸性電解水を生成する電解注出運転を実行しているときに注出ボタンを押動操作すると、微酸性電解水の生成が停止される。電解水生成装置１０の解除可能な異常で微酸性電解水の生成が停止されているときに注出ボタンが押動操作されると、異常状態が解除されて電解注出運転が待機されている電解注出運転が実行されていないときの状態に戻る。これに対し、電解水生成装置１０の解除していけない異常で微酸性電解水の生成が停止されているときに注出ボタンが押動操作されても、異常状態が解除されずに電解注出運転の停止状態を維持し続ける。
【００３３】
また、電解水生成装置１０が電解槽１１と、電解槽１１に対応させた原水供給管路２０及びこれに介装された各種部品と、電解槽１１に対応させた電解質水溶液供給管路３０及びこれに介装された各種部品とを備えた電解槽ユニットを複数備えたものであるときにも、微酸性電解水を生成する電解注出運転を実行していないときに、操作パネル５０の操作ボタンを構成する注出ボタンを押動操作すると、全ての電解槽ユニットで電解注出運転の実行によって微酸性電解水が生成され、微酸性電解水を生成する電解注出運転を実行しているときに注出ボタンを押動操作すると、全ての電解槽ユニットで微酸性電解水の生成が停止される。
【００３４】
複数の電解槽ユニットのなかで電解槽ユニットの一部に解除可能な異常で微酸性電解水の生成が停止されて、残る正常な電解槽ユニットも微酸性電解水の生成が停止されているときに注出ボタンが押動操作されると、異常状態となっている電解槽ユニットの異常が解除されて、全ての電解槽ユニットは電解注出運転が待機されている電解注出運転が実行されていないときの状態に戻る。これに対し、複数の電解槽ユニットのなかで電解槽ユニットの一部に解除可能な異常で微酸性電解水の生成を停止しているとともに、残る正常な電解槽ユニットで微酸性電解水を生成しているときに注出ボタンが押動操作されると、解除可能な異常となっていた電解槽ユニットの異常状態が解除され、微酸性電解水を生成している電解槽ユニットの微酸性電解水の生成が停止され、全ての電解槽ユニットが電解注出運転が待機されている電解注出運転が実行されていないときの状態に戻る。
【００３５】
複数の電解槽ユニットのなかで電解槽ユニットの一部に解除していけない異常で微酸性電解水の生成が停止され、残る正常な電解槽ユニットの電解注出運転を実行してないときに注出ボタンが押動操作されると、解除していけない異常状態の電解槽ユニットはそのままで、残る正常な残りの電解槽ユニットで電解注出運転の実行によって微酸性電解水が生成される。これに対し、複数の電解槽ユニットのなかで電解槽ユニットの一部に解除していけない異常で微酸性電解水の生成が停止され、残る正常な電解槽ユニットの電解注出運転を実行しているときに注出ボタンが押動操作されると、解除していけない異常状態の電解槽ユニットはそのままで、残る正常な残りの電解槽ユニットでの微酸性電解水の生成を停止する。
【符号の説明】
【００３６】
１０…電解水生成装置、１１…電解槽、１２ａ，１２ｂ…電極、２０…原水供給管路、３０…電解質水溶液供給管路、３１…電解質水溶液タンク、３２…送出ポンプ、４０…電源装置、４１…電流計、６０…制御装置。
【図１】
2019093343.tif 000003
【図２】
2019093343.tif 000004
【図３】
2019093343.tif 000005